(57)【特許請求の範囲】
【請求項１】
外周面が凹凸状をなす繊維を束ねたブラシ部と、一端側で前記ブラシ部が取付けられる柄と、該ブラシ部を該柄に取付けるための締止具とを備え、
該締止具は、前記繊維を保持するＣ型環部と、該Ｃ型環部の開口両端部から突出し、先端部の、突出方向に交叉する方向の外側に突起部を有する、一対の止め片とを備え、
該止め片を、前記柄の一端側の背面から端面に貫通する係止孔に挿入し、係止させて、前記締止具を前記柄に取付けるように構成されていることを特徴とする柄付きブラシ。
【請求項２】
前記柄は、前記ブラシ部を取付けた側を一方向に屈曲せしめてある請求項１記載の柄付きブラシ。
【請求項３】
前記ブラシ部は、多数の前記繊維を束ねて長さ方向の所定の位置で締止してあり、締止位置から前記繊維の一端までの長さと他端までの長さとが異なる請求項１又は２記載の柄付きブラシ。
【発明の詳細な説明】
【０００１】
【発明の属する技術分野】
本発明は、例えばトイレ用，風呂用の清掃ブラシ，食器洗いブラシのように柄の先端部分にブラシ部を設けた構造の柄付きブラシに関する。
【０００２】
【従来の技術及び発明が解決しようとする課題】
トイレの便器，風呂場の浴槽等を清掃する際には、柄の先端にブラシを取付けた柄付きブラシを用いる。使用者は柄を持って洗剤をブラシに付け、又は清掃箇所に洗剤を直接付けてブラシで擦ることにより汚れを拭い取り、その後、洗剤が付着した部分を水ですすぎ流す。このとき、泡が無くなるまで洗浄箇所に十分な水を流す必要があり、またブラシ及び柄にも十分な水をかけ、付着した洗剤を洗い流す必要がある。このすすぎ洗いのために手間と時間とを要するという問題があった。また、洗剤によっては手足に付着して肌を痛める虞があり、手袋，清掃用ブーツなどを着用するのに手間がかかるという問題があった。
【０００３】
さらにこの種のブラシには、水垢，湯垢など壁面にこびりついた汚れを擦り取るために、硬質の毛体を用いているものがある。このようなブラシは、壁面を勢いよく擦った際に水ハネが生じ、不快な思いをすることがあった。
【０００４】
本発明は、かかる事情に鑑みてなされたものであり、洗剤を使用せずに汚れが取れ、すすぎのための余計な手間，時間をかけることがない柄付きブラシを提供することを目的とする。また、ブラシ部が硬過ぎず、適度な剛性を有して水ハネを防止する柄付きブラシを提供することを目的とする。
【０００５】
【課題を解決するための手段】
第１発明に係る柄付きブラシは、外周面が凹凸状をなす繊維を束ねたブラシ部と、一端側で前記ブラシ部が取付けられる柄と、該ブラシ部を該柄に取付けるための締止具とを備え、該締止具は、前記繊維を保持するＣ型環部と、該Ｃ型環部の開口両端部から突出し、先端部の、突出方向に交叉する方向の外側に突起部を有する、一対の止め片とを備え、該止め片を、前記柄の一端側の背面から端面に貫通する係止孔に挿入し、係止させて、前記締止具を前記柄に取付けるように構成されていることを特徴とする。
【０００６】
第１発明にあっては、ブラシ部を構成する糸状繊維は合成繊維であり、外周面が凹凸状に形成されており、例えば長さ方向に交わる断面形状で波形状の外形を有しているので、洗浄対象との接触面積が大きくなる。これにより、洗剤を使用しなくてもブラシ部で拭い取るだけで汚れが落ちる。また、外周面が有する凹部分の縁で汚れを擦り取るので、洗浄効果が高まる。
そして、締止具のＣ型環部の開口部分から束ねた繊維を挿入し、両側の止め片を柄に嵌め止めすることにより、ブラシ部を容易に柄に取付けることができる。
【０００７】
第２発明に係る柄付きブラシは、第１発明において、前記柄は、前記ブラシ部を取付けた側を一方向に屈曲せしめてあることを特徴とする。
【０００８】
第２発明にあっては、柄が屈曲しているので、例えば便器の座部の裏側のように、入れ込み難い箇所にまでブラシ部が届くので、洗浄が容易である。
【０００９】
第３発明に係る柄付きブラシは、第１又は第２発明において、前記ブラシ部は、多数の前記繊維を束ねて長さ方向の所定の位置で締止してあり、締止位置から前記繊維の一端までの長さと他端までの長さとが異なることを特徴とする。
【００１０】
第３発明にあっては、ブラシ部の締止位置を境に相反する側に２つのブラシ面が形成されるので、例えば浴槽の清掃中に払拭面とは反対の側が浴槽壁に当たった場合でも不快な音がしない。また、各ブラシ面で繊維の長さが異なるので、夫々のブラシ面は寸法が異なり、また繊維の密集の程度も異なる。これにより、清掃箇所，汚れの程度などに応じて払拭面を使い分けることができる。
【００１３】
【発明の実施の形態】
以下、本発明をその実施の形態を示す図面に基づき具体的に説明する。
実施の形態１．
図１は、本発明に係るトイレ用ブラシの構造を示す斜視図である。図に示すように、トイレブラシ１０は、例えばポリプロピレンのような合成樹脂製の柄１と、該柄１の一端に取り付けられたブラシ部分である繊維部２と、該繊維部２を柄１の先端に固定する締止具３とで構成されており、トイレ清掃用のブラシとして用いられる。柄１は、一側端部に近い位置で所定角度を有して正面側に屈曲してある略四角柱棒であり、背面側に重量軽減のための長手方向の溝１１が形成されている。また、柄１の屈曲部分には背面側から一側端面に貫通する係止孔１４が設けられている。
【００１４】
柄１の他端には背面側に突出した縁掛け用の凸部１２が設けてあり、その近傍には柄１を正背方向に貫通する孔部１３が形成されている。トイレブラシ１０を使用しないときは、凸部１２を壁などの縁に掛けておくか、又は、壁に取付けられたフックなどに孔部１３を掛けることにより、繊維部２を自然乾燥させるようになっている。なお、柄１の表面に抗菌剤の塗布、所謂、抗菌加工，ヌメリ防止加工などを施すことにより、収納場所が高湿度である場合でも雑菌の繁殖を防止して清潔に保たれる。
【００１５】
図２は繊維部２を柄に固定する様子を示した説明図である。繊維部２は、エステル繊維のような合成繊維を撚った撚り糸２１を束ねて形成されている。図３はこの撚り糸を形成する繊維の構造を示す模式的一部断面図である。撚り糸２１は多数の合成繊維２１ａ，２１ａ…を撚り合わせて形成されている。図３に示すように、各合成繊維２１ａは、その外周面の３箇所に長さ方向に平行な凹条２１ｅを有しており、外周面は周方向に凹凸状に形成されている。また合成繊維２１ａの長さ方向に略直交する断面形状は、波面形状の外形を有している。従って、合成繊維２１ａが洗浄対象に接触した際の接触面積は、通常の断面円形状の繊維の表面積よりも大きい。
【００１６】
このような形状の合成繊維２１ａを多数本撚って、撚り糸２１が形成されている。図２に示すように、略同寸法の長さに揃えられた複数本の撚り糸２１，２１…が、締止具３によりその略中央で束ねられ、繊維部２の全体形状は略球状を有している（図１参照）。締止具３は僅かに可塑性を有する合成樹脂製であり、開口を有するＣ型環部３１と、開口の両端部から突出されて先端部分が略槍状の止め片３２，３２とを有している。まず繊維部２を構成する撚り糸２１を長さ方向に揃え、撚り糸２１の中央部分をＣ型環部３１の開口部から挿入して内周面に当接せしめ、柄１の係止孔１４，１４に両方の止め片３２，３２を同時に嵌める。このような締止具３を用いることにより、多数本の撚り糸２１を簡単に一度に取付けることができる。また、一方の止め片３２を柄１の係止孔１４に挿入し、係止した後、Ｃ型環部３１の内周面に撚り糸２１を当接せしめ、他方の止め片３２を係止孔１４に嵌めて繊維部２を柄１に固定するようにしても良い。
【００１７】
以上の如き構成の柄付きブラシを用いて便器の洗浄を行なった場合、繊維部２は、上述したような構造の合成繊維２１ａを用いているので、便器面と繊維部２との接触面積が大きい。これにより繊維部２の払拭による洗浄能力が高まり、洗剤を用いることなく汚れを拭い取ることができる。また、合成繊維２１ａの外周面に形成された凹条２１ｅの縁が便器の壁面を擦ることにより、洗浄能力がさらに高まる。さらに、繊維部２はこのような合成繊維２１ａの撚り糸２１，２１…を束ねて形成してあるので、清掃に適度な剛性を有し、且つ洗浄箇所に傷を付けることもない。そして、強く擦っても水ハネが起きることがなく、不快感がない。
【００１８】
さらにまた、合成繊維２１ａの表面に発水剤を被覆した後、撚り糸２１を形成することにより、繊維部２には汚れが付着しにくい。汚れが付着した場合でも、少量の水で洗い流すことができる。
【００１９】
また、トイレブラシ１０は柄１の繊維部２側が屈曲しているので、便器の窪んだ箇所に当接させ易い。図４は、トイレ用ブラシの使用状態を示す一部断面斜視図である。便器４はその上部に内周側に張り出した開口縁４１を有し、開口縁４１の裏側には外周側に窪んだ凹部４２が周方向に形成されている。トイレブラシ１０は、繊維部２を凹部４１に当接せしめることが容易であり、凹部４１の内奥部分の汚れを簡単に拭い取ることができる。
【００２０】
なお、上述した柄付きブラシ１０はトイレの洗浄に用いる場合を説明しているが、これに限るものではなく、コップのような深さを有する食器の洗浄に用いても良い。
【００２１】
実施の形態２．
図５は本発明に係る風呂用ブラシの構造を示す斜視図であり、図６は、図５のＡ−Ａ線から見た断面図である。また、図７は柄付きブラシの構造を示す斜視図である。図５及び図６に示すように、風呂用ブラシ２０は、柄付きブラシ５０と、該柄付きブラシ５０を収めるホルダ７０とで構成される。図５〜図７に示すように、柄付きブラシ５０は、例えばポリプロピレンのような合成樹脂製の柄５１の一端に、繊維部６０を締止具３０で固定してある。
【００２２】
柄５１は、図６及び図７に示すように、長手方向中央付近で正面側に湾曲しており、両端部分が互いに平行に形成された略四角柱棒である。柄５１の背面側には重量軽減のための長手方向の溝５２を有している。柄５１の繊維部６０を取り付けるべき一端には、背面側から一側端面に貫通する係止孔５４が設けられている。また、柄５１の他端は鉤型に形成されて、例えば壁に取付けられたフックなどに係止する係止部５３が設けられている。なお、柄５１の表面に抗菌剤を塗布する加工、所謂、抗菌加工，ヌメリ防止加工などを施すことにより、収納場所が高湿度である場合でも雑菌の繁殖を防止して清潔に保たれる。
【００２３】
繊維部６０は、例えばエステル繊維のような合成繊維を撚った撚り糸６１を束ねて形成してある。この合成繊維は、上述した実施の形態１で用いた合成繊維２１ａ（図３参照）と同様であり、その説明を省略する。従って、この風呂用ブラシを使用した場合に、合成繊維が洗浄対象に接触する面積は、通常の断面円形状の繊維の表面積よりも大きい。
【００２４】
図６及び図７に示すように、繊維部６０は略同寸法の長さの複数本の撚り糸６１で構成され、撚り糸６１の長さ方向の略３分の１の位置を締止具３０のＣ型環部で締止することにより、柄５１の背面側に大半球部６０ａを、正面側に小半球部６０ｂを形成している。清掃は主に大半球部６０ａを使用して行い、小半球部６０ｂは清掃中に浴槽壁面に当たった際の不快音及び浴槽壁の傷つき等を防止する。また、小半球部６０ａと大半球部６０ｂとは同本数の撚り糸６１を有しているので、長さが異なることにより撚り糸６１の密集の程度が異なる。即ち、小半球部６０ａと大半球部６０ｂとでは柔らかさが異なるので、風呂内の清掃箇所又は汚れの度合いに応じて使い分けることもできる。
【００２５】
締止具３０は僅かに可塑性を有する合成樹脂製であり、繊維部６０をＣ型環部及び止め片で固定する態様は実施の形態１と同様であり、その形状及び固定方法についての説明を省略する。なお、繊維部６０の束ね位置は３分の１の位置に限らず、柄５１の背面側が正面側よりも長くなるような位置であれば良い。
【００２６】
図８はホルダ７０に柄付きブラシ５０を収める状態を説明する斜視図である。図６及び図８に示すように、ホルダ７０は例えばエチレン樹脂のような合成樹脂製であり、上部を開口した有底長円筒形状を有している。ホルダ７０は正面上部に切欠き７２を、該切欠き７２の下側に正面よりも僅かに窪んだ凹部７３が形成されている。切欠き７２は、繊維部６０の締止部分の幅よりも大寸法を有しており、凹部７３は柄５１の湾曲部分が嵌まる幅寸法に形成されている。また、ホルダ７０の背面には孔部７１が形成されている。孔部７１に合成樹脂製の吸盤８を取付けることにより、ホルダ７０を例えば風呂の壁面に着脱可能に固定することができる。またホルダ７０の底面には複数の水抜き孔７４が形成されており、繊維部６０から流れた水を排出できるようになっている。
【００２７】
柄付きブラシ５０は、柄５１を下側に繊維部６０を上側にして、図８に示す如くホルダ７０に掛ける。繊維部６０の締止部分が切欠き７２に沿うようにして繊維部６０を挿入し、柄５１の湾曲部分を凹部７３に嵌める。このとき、繊維部６０の大半球部６０ａがホルダ７０内に収まり、小半球部６０ｂはホルダ７０の正面側に露出する。柄５１は中央位置で湾曲しているので、柄付きブラシ５０をホルダ７０に掛けたとき、柄５１の下端部分は繊維部６０の直下位置からずれた位置にあり、繊維部６０から柄５１に水が伝うのを防止する。また柄５１の下側がホルダ７０よりも手前側にあるので、柄付きブラシ５０をホルダ７０に収め易く、また取り出し易い。
【００２８】
以上の如き構造の柄付きブラシを用いて浴槽の清掃を行なう場合、繊維部６０は、上述したような構造の合成繊維を用いているので、浴槽壁と繊維部６０との接触面積が大きい。これにより繊維部６０の払拭による洗浄能力が高まり、洗剤を用いることなく汚れを拭い取ることができる。また、合成繊維の外周面に形成された凹条が便器の壁面を擦ることにより、洗浄能力がさらに高まる。さらに、繊維部６０はこのような合成繊維の撚り糸６１，６１…を束ねて形成してあるので、清掃に適度な剛性を有し、且つ洗浄箇所に傷を付けることもない。そして、強く擦っても水ハネが起きることがなく、不快感がない。
【００２９】
さらにまた、合成繊維の表面に発水剤を被覆した後、撚り糸６１を形成することにより、繊維部６０には汚れが付着しにくい。汚れが付着した場合でも、少量の水で洗い流すことができる。
【００３０】
また、風呂用ブラシ２０は、繊維部６０が大半球部６０ｂと小半球部６０ａとを相反する側に備えているので、大半球部６０ｂを使って例えば浴槽の角壁を清掃中に、反対の面が浴槽壁に当たっても小半球部６０ａが繊維であるので、不快な音がすることがない。
【００３１】
なお、上述した風呂用ブラシ２０は風呂の清掃に用いる場合を説明しているが、これに限るものではなく、例えば台所のシンク，自動車などの清掃に用いても良い。
【００３２】
また、上述した実施の形態１及び実施の形態２の柄付きブラシは、外周面に３本の凹条を有する形状の合成繊維を使用する場合を説明しているが、これに限るものではなく、外周面が凹凸状になっていれば、同様の効果を得る。
【００３３】
さらに、上述した実施の形態１及び実施の形態２の柄付きブラシは、洗剤を用いることなく汚れを拭い取ることができるが、少量の洗剤を使用しても良いことは勿論である。その場合は、少量の水で洗剤を洗い流すことができる。
【００３４】
【発明の効果】
以上のように、本発明においては、洗剤を用いることなく汚れを拭い取ることができるので、すすぎ洗いの手間と時間とを省くことができる。また、洗剤により肌を痛めることもない。さらに、本発明のブラシの払拭部は比較的柔らかいので勢いよく擦った場合でも水ハネが生じず、不快な思いをすることがない等、本発明は優れた効果を奏する。
【図面の簡単な説明】
【図１】本発明に係るトイレ用ブラシの構造を示す斜視図である。
【図２】繊維部を柄に固定する様子を示した説明図である。
【図３】撚り糸を形成する合成繊維の構造を示す模式的一部断面図である。
【図４】トイレ用ブラシの使用状態を示す一部断面斜視図である。
【図５】本発明に係る風呂用ブラシの構造を示す斜視図である。
【図６】図５のＡ−Ａ線から見た断面図である。
【図７】柄付きブラシの構造を示す斜視図である。
【図８】ホルダに柄付きブラシを収める状態を説明する斜視図である。
【符号の説明】
１，５１  柄
２，６０  繊維部
３，３０  締止具
２１，６１  撚り糸
２１ａ  合成繊維
２１ｅ  凹条
３１  Ｃ型環部
３２  止め片
７０  ホルダ
【図１】
0003855218.tif 000002
【図２】
0003855218.tif 000003
【図３】
0003855218.tif 000004
【図４】
0003855218.tif 000005
【図５】
0003855218.tif 000006
【図６】
0003855218.tif 000007
【図７】
0003855218.tif 000008
【図８】
0003855218.tif 000009